(57)【特許請求の範囲】
【請求項１】
内部時計と生体を計測するセンサ、記憶メモリとを備える電子タグと通信するインタフェースを備える通信モジュールと、
現在時刻を取得する時刻取得部と、
前記通信モジュールを介して前記電子タグと通信して電子タグを起動させ、前記時刻取得部が取得した現在時刻を含み前記電子タグが生体を計測する際に使用する計測用情報を前記電子タグに書き込む書込部と、
前記電子タグのＩＤと前記計測用情報とを記憶する記憶部と、
を有することを特徴とする情報処理装置。
【請求項２】
前記書込部は、前記電子タグの起動と同時に前記計測用情報を前記電子タグに書き込む請求項１に記載の情報処理装置。
【請求項３】
前記書込部の書き込みにより前記電子タグの前記内部時計が現在時刻と同期して動作を開始する請求項１または２に記載の情報処理装置。
【請求項４】
生体に挿入される針管と前記針管内に前記通信モジュールを挿入する挿入手段とを有し、
前記電子タグが前記針管内に配置された状態で前記針管内に前記通信モジュールが挿入される請求項１ないし３のいずれかに記載の情報処理装置。
【請求項５】
前記電子タグが接触したときに前記針管の基端側に前記電子タグを付勢する付勢手段を前記針管の先端側に有する請求項４に記載の情報処理装置。
【請求項６】
前記通信モジュールを前記針管内に挿入可能な棒状体と、前記通信モジュールおよび前記棒状体を前記針管内に挿入させる際に把持する押し子とを有し、前記押し子を前記先端側に押し込むことにより、前記電子タグを前記付勢手段の付勢に逆らって前記生体に挿入させる請求項５に記載の情報処理装置。
【請求項７】
前記生体の画像、前記生体のサイズまたは前記生体の重量のうち少なくとも１つを、前記計測用情報と関連づけて記憶する記憶部をさらに有する請求項１ないし６のいずれかに記載の情報処理装置。
【発明の詳細な説明】
【技術分野】
【０００１】
本発明は情報処理装置に関する。
【背景技術】
【０００２】
野生生物の行動・生理や経験環境を計測するために、様々なセンサを搭載した計測装置を生体に直接装着し計測を行うバイオロギング・バイオテレメトリー手法が知られている。
【０００３】
ここで、バイオロギングは、例えば計測したデータを計測装置の内部に記録することを言う。また、バイオテレメトリーは、例えば計測したデータを無線等で計測装置の外部に飛ばし、遠隔的に計測データを回収することを言う（広義の意味では、バイオテレメトリーもバイオロギングに含まれる）。
【０００４】
近年、バイオロギング計測器（以下、電子タグとも言う）で様々な情報を得るため、電子基板の高機能化が求められている。このため基板に搭載する部品点数の増加や回路規模の増大が求められ、結果的に基板のサイズや層数、枚数が増大する傾向にある。
【０００５】
一方で、バイオロギング手法において生体の自然な行動を計測するためには、機器装着による生体への負荷を低減することが求められている。このためには、計測器の小型化および装着にかかる時間をなるべく少なくすることが求められる。
【０００６】
データ回収の方法として、内部メモリに記録される電子タグについては生体を再捕獲し、電子タグを回収し、内部メモリに記録されたデータをダウンロードする方法がある。この場合、無線等を介し遠隔的に計測データを回収する場合と比較し、大容量データを取得できる、また、受信機を設置しなくてもデータを回収できるといった利点がある。
【先行技術文献】
【特許文献】
【０００７】
【特許文献１】特開２０２０−０４６３４４号公報
【発明の概要】
【発明が解決しようとする課題】
【０００８】
野外で自由行動を行う野生生物を再捕獲することは、一般的に容易ではない（生物種によるが、回収率は数％から数１０％）。このため、バイオロギングで様々な生体のデータを取得しビッグデータ化するための手段として、大量に電子タグを使用できることが求められている。
従来の電子タグでは電子タグの設定・起動およびデータ管理が容易ではなく、大量に電子タグを使用することは実務的に困難である。
【０００９】
例えば、魚類など種苗放流を行っている生体では、１０万−１００万尾単位で多くの個体が放流されており、その一部において、放流後の分布、成長や生残率の調査のために標識放流が行われている。
【００１０】
しかしながら、従来の標識（通常標識）では、個体のＩＤしかわからないため、放流した個体が再度捕獲されても、放流と回収時の一時的な情報しかわからず、放流と回収の間の移動や経験環境等の経時的な情報を取得することができない。
【００１１】
電子タグを装着して放流すれば、移動や経験環境等の経時的な情報を得られるが、従来の電子タグでは、電子タグを設定・起動するために時間がかかるという問題がある。
【００１２】
具体的には、まず電子タグをＰＣ（Personal Computer）に接続し、アプリケーション等のプログラムにより、現在時刻の同期、計測周期や使用するセンサ、計測開始（および終了）時刻等を設定し、起動する作業が発生する（例えば１台につき３−５分程度）。すなわち、設定後、起動するという作業である。このため、１００万尾のうち１％に電子タグを装着するとしても１万尾であり、その設定・起動に例えば２０日以上かかり、設定・起動に非常に時間がかかり現実的ではない。
ときには、電子タグの設定・起動を船上で行う場合もあり、不安定であり、水しぶきがかかる船上にてＰＣ作業をすることは大変な労力を伴う。
【００１３】
さらに、電子タグの設定において重要な項目として、電子タグの内部時計を現在時刻と同期することが挙げられる。照度や深度データから位置を推定するために、予測モデルから得られる日出・日没時刻や、潮汐のタイミングや大きさなどと照合することが行われているが、照度や深度データを計測した時刻がわからないと、位置推定ができない。また時刻は、１分誤差があるだけで数１０−１００ｋｍの位置推定誤差が生じることから、電子タグの内部で正確な時刻を保持するのが好ましい。
【００１４】
電子タグの内部で正確な時間を把握するために必要な部品として水晶やＲＴＣ（Real-Time Clock）がある。市場で入手可能な小型な水晶やＲＴＣの時間精度は高くても１ヶ月で、±１０−５０秒程度の時刻精度である。電子タグは数秒から数分間隔で深度や温度、照度を計測し、数ヶ月から数年の連続計測を行う用途に用いられることが多い。その場合、水晶やＲＴＣによる時刻誤差を最小限にするには、時刻同期も可能な限りロガーを使用する直前に行うのが好ましい。
【００１５】
また、ロガー内部で時刻を保持するためには、マイコンまたはＲＴＣに電力を供給することになるが、例えば僅か１μＡｈの待機電力でも１年で８ｍＡ以上消費することとなる。電子タグの中には数ｃｍ等の小型生体を対象にするための小型化が求められている場合があり（一般的に、電子タグ装着の生体に与える影響として電子タグの空中重量は生体重量の２−３％以内が目安である）、小型化する場合、基板だけではなく、電池も最小化することが求められる。
【００１６】
しかし、僅か１μＡｈの維持電力であっても、小型の酸化銀電池ＳＲ４１６（直径４．８ｍｍ、高さ１．６５ｍｍ、１．５５Ｖ、７．５ｍＡｈ）の容量が１年程度で消費されてしまう計算となる。
【００１７】
一方で、電子タグは製造後、実際に使用するまでに数ヶ月から数年のラグが発生する場合もあり（購入後、実験生体の確保に時間がかかるなど）、製造時に時刻同期してその内部時刻を保持するために待機電力が発生する場合、使用する前に電池がすべて消費されることも考えられる。
【００１８】
また、複数の電子タグを設定・起動する際は、使用者が使用する計測用情報（計測周期、使用センサ）や起動時刻をマニュアルでメモする手法が行われることが多い。
【００１９】
しかし、多数の電子タグの設定・起動情報をマニュアルで記録することは非常に手間がかかる。このため、電子タグの起動した時刻や計測用情報が、外部装置に自動的に記録されることが有用である。
【００２０】
なお、電子タグ内部で絶対時刻を保持せずに、相対時刻のみを保持する場合も考えられる。その場合において、計測された値に対する時刻の把握は、データダウンロード後に、計測開始（または起動開始）の絶対時刻と合わせることで、算出できる。従来は、起動開始時刻をマニュアルでメモすることが行われているが、電子タグの起動時刻を外部装置で自動的に記録できることが有用である。
【００２１】
また、放流後の位置推定を行うための情報として放流した場所を知ることは重要である。従来は例えば放流した場所をＧＮＳＳ（Global Navigation Satellite System）端末から取得し、得られた位置情報をマニュアルで記録することが行われている。
しかし、電子タグの起動・装着・放流後に、使用者が、ＰＣ等にてマニュアルで電子タグのＩＤと放流場所の紐付けを行うと手間がかかる。
１つの側面では、本発明は、電子タグの初期設定時間を短縮させることを目的とする。
【課題を解決するための手段】
【００２２】
上記目的を達成するために、開示の情報処理装置が提供される。この情報処理装置は、内部時計と生体を計測するセンサ、記憶メモリとを備える電子タグと通信するインタフェースを備える通信モジュールと、現在時刻を取得する時刻取得部と、通信モジュールを介して電子タグと通信して電子タグを起動させ、時刻取得部が取得した現在時刻を含み電子タグが生体を計測する際に使用する計測用情報を電子タグに書き込む書込部、通信した電子タグのＩＤ、計測用情報を記憶する記憶部と、を有している。
【発明の効果】
【００２３】
１態様では、電子タグの初期設定時間を短縮させることができる。
【図面の簡単な説明】
【００２４】
【図１】第１の実施の形態の情報処理システムを示す図である。
【図２】第１の実施の形態のスマートアダプタ本体のハードウェア構成を示す図である。
【図３】実施の形態のスマートアダプタ本体の機能を示すブロック図である。
【図４】生体への電子タグの装着方法の一例を説明する図である。
【図５】押し子を押したときの装着器具を説明する図である。
【図６】第２の実施の形態のスマートアダプタ本体のハードウェア構成を示す図である。
【図７】記憶部に記憶される情報の一例を説明する図である。
【発明を実施するための形態】
【００２５】
以下、実施の形態の情報処理システムを、図面を参照して詳細に説明する。
【００２６】
以下の図面等において示す各構成の位置、大きさ、形状、範囲などは、発明の理解を容易にするため、実際の位置、大きさ、形状、範囲などを表していない場合がある。このため、本発明は、必ずしも、図面等に開示された位置、大きさ、形状、範囲等に限定されない。
実施の形態において単数形で表される要素は、文面で明らかに示されている場合を除き、複数形を含むものとする。
＜第１の実施の形態＞
図１は、第１の実施の形態の情報処理システムを示す図である。
【００２７】
実施の形態の情報処理システム１００は、スマートアダプタ（コンピュータ）本体１と、スマートアダプタ通信部（通信モジュール）２と、電子タグ３とを有している。
スマートアダプタ本体１は、モバイル型（携帯型）の装置である。
【００２８】
スマートアダプタ通信部２は、通信ポート（通信インタフェース）２ａを備えている。スマートアダプタ通信部２は、通信ポート２ａを介して電子タグ３と通信を行い、スマートアダプタ本体１に記憶されている情報（計測用情報）を電子タグ３に書き込んだり、電子タグ３に記憶されている情報をスマートアダプタ本体１に伝送したりする。計測用情報としては特に限定されないが、例えば時刻情報や計測周期（または計測周波数）、電子タグ３内で使用するセンサ、計測開始時刻・計測終了時刻等が挙げられる。
電子タグ３は、背景技術にて述べたように生体に直接装着される。生体としては特に限定されないが、例えば魚類が挙げられる。
【００２９】
例えば魚類への電子タグ３の装着方法としては、魚類の腹腔内に入れて取り付ける内部装着と、魚類の体表に計測装置を取り付ける外部装着がある。外部装着は、取り付けの際に金属ワイヤーやテグスやケーブルタイ等を体内部に通す場合がある。外部装着の場合、流体抵抗が増加し、取り付け部分の傷が化膿する等、一般的に長期の装着には適していない場合が多い。このため、魚類においては、長期の装着において内部装着の方が適している場合が多いと一般的に考えられている。
【００３０】
電子タグ３は、内部時計および生体の行動・生理や経験環境等を計測するセンサと、計測結果等を記憶する記憶メモリとを備えている。内部時計は絶対的な時刻を保持するものであってもよいし、相対的な時刻を計数するものであってもよい。
【００３１】
本実施の形態の電子タグ３の筐体３ａは、円筒状をなしている。図示していないが、角部が丸みを帯びていてもよい。角部が丸みを帯びることで、魚類の腹腔の損傷を抑制することができる。筐体３ａの直径は、例えば直径５ｍｍ程度である。また、筐体３ａの長手方向の長さは、例えば２４．５ｍｍである。なお、筐体３ａは、中空の筒状であれば図示の形状に限定されず、例えば１つの半球が円筒の一方の端部に結合されたような形状をなしていてもよいし、２つの半球が円筒の両端部に結合されたカプセル状であってもよい。
【００３２】
また、電子タグ３は、通信ポート３ｂを有している。本実施の形態のスマートアダプタ通信部２と電子タグ３の通信方法は、通信ポート２ａと通信ポート３ｂを向き合わせることにより位置合わせを行い、コネクタ接続により、通信ポート２ａと通信ポート３ｂ間で有線通信を実行する。しかし、通信方法はこれに限らず、光や電波、赤外線等の無線通信が想定できる。
図２は、第１の実施の形態のスマートアダプタ本体のハードウェア構成を示す図である。
スマートアダプタ本体１は、ＣＰＵ（Central Processing Unit）１０１によって装置全体が制御されている。
ＣＰＵ１０１には、バス１０９を介してＲＡＭ（Random Access Memory）１０２と複数の周辺機器が接続されている。
【００３３】
ＲＡＭ１０２は、スマートアダプタ本体１の主記憶装置として使用される。ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に使用する各種データが格納される。
【００３４】
バス１０９には、内蔵メモリ１０３、グラフィック処理装置１０４、入力インタフェース１０５、内部時計１０６および通信インタフェース１０７が接続されている。
【００３５】
内蔵メモリ１０３は、データの書き込みおよび読み出しを行う。内蔵メモリ１０３は、スマートアダプタ本体１の二次記憶装置として使用される。内蔵メモリ１０３には、ＯＳのプログラム、アプリケーションプログラム、および前述した計測用情報の一部等が格納される。なお、内蔵メモリとしては、例えばフラッシュメモリ等の半導体記憶装置が挙げられる。
【００３６】
グラフィック処理装置１０４には、ディスプレイ１０４ａが接続されている。グラフィック処理装置１０４は、ＣＰＵ１０１からの命令に従って、画像をディスプレイ１０４ａの画面に表示させる。ディスプレイ１０４ａとしては、液晶表示装置等が挙げられる。また、ディスプレイ１０４ａは、タッチパネル機能も備えていてもよい。
【００３７】
入力インタフェース１０５は、ディスプレイ１０４ａおよび入力ボタン１０５ａに接続されている。入力インタフェース１０５は、入力ボタン１０５ａやディスプレイ１０４ａのタッチパネルから送られてくる信号をＣＰＵ１０１に送信する。
【００３８】
内部時計１０６は、ＧＮＳＳセンサ１０６ａに接続されている。内部時計１０６は、ＧＮＳＳセンサ１０６ａと定期的に同期され、高精度な時刻を維持している。またはＧＮＳＳセンサ１０６ａ以外に高精度なＲＴＣまたは水晶を備え、事前に正確な時刻と同期している場合も想定できる。ＧＮＳＳセンサ１０６ａを備えれば、位置情報を把握できることから、起動した場所も計測用情報として取得できる。
通信インタフェース１０７は、スマートアダプタ通信部２を介して電子タグ３と通信する。
【００３９】
なお、本スマートアダプタ本体１はここに挙げたすべての機能を搭載せずに、機能の一部で構成し実施する場合も想定される。また、スマートアダプタ本体１には、データを図示しないクラウドサーバやホストＰＣに転送するための無線通信機能（携帯電話通信やBluetooth等）を備えてもよい。通信範囲内に入り次第、計測用情報等のスマートアダプタ本体１で管理・収集したデータをクラウドサーバやホストＰＣに転送する。無線通信機能は、例えば装着と同時に起動してもよい。
バッテリ１０８は、スマートアダプタ本体１全体に電力を供給する。
以上のようなハードウェア構成によって、本実施の形態の処理機能を実現することができる。
図２に示すようなハードウェア構成のスマートアダプタ本体１内には、以下のような機能が設けられる。
図３は、実施の形態のスマートアダプタ本体の機能を示すブロック図である。
スマートアダプタ本体１は、制御部１１と、記憶部１２とを有している。
【００４０】
制御部１１は、ＣＰＵ１０１により実現される機能であり、スマートアダプタ通信部２を介して電子タグ３と通信する。また、制御部１１は、ＧＮＳＳセンサ１０６ａから現在時刻を取得する。
【００４１】
また、制御部１１は、通信が可能となった電子タグ３と通信して電子タグ３を起動させ、電子タグ３の起動と同時に取得した現在時刻を含む、電子タグ３が生体を計測する際に使用する計測用情報を、スマートアダプタ通信部２を介して電子タグ３に書き込む。
記憶部１２は、内蔵メモリ１０３により実現される機能であり、記憶部１２には、電子タグ３から得られた情報等が記憶される。
次に、情報処理システム１００の動作を簡単に説明する。
【００４２】
利用者はスマートアダプタ本体１を起動する。そして、スマートアダプタ通信部２を電子タグ３に近づける。スマートアダプタ通信部２が電子タグ３にコネクタ接続されると、電子タグ３が起動し、通信ポート２ａと通信ポート３ｂ間の通信が可能となる。電子タグ３の起動と同時に制御部１１は、ＧＮＳＳセンサ１０６ａから現在時刻を取得する。そして、制御部１１は、取得した時刻情報を含む計測用情報を生成する。スマートアダプタ通信部２は電子タグ３と通信し、制御部１１が生成した計測用情報を電子タグ３に送信する。これにより、電子タグ３の現在時刻と同期された内部時計が動作を開始する。また、制御部１１は、計測用情報の送信と同時に、スマートアダプタ通信部２を介して電子タグ３のＩＤを読み取り、ＩＤおよび計測用情報を紐付けて記憶部１２に記憶する。これにより、電子タグ３の現在位置の位置情報と、電子タグ３のＩＤが紐付けられる。
１回あたりのデータ送受信時間は、数秒（１０秒以内）であるのが好ましい。これにより、電子タグ３の１台あたりの設定が数秒から十数秒で完了する。
【００４３】
以上述べたように、情報処理システム１００は、制御部１１が、内部時計と生体を計測するセンサとを備える電子タグ３とスマートアダプタ通信部２を介して通信することで電子タグ３を起動させ、電子タグ３の起動と同時にＧＮＳＳセンサ１０６ａから取得した現在時刻を含む、電子タグ３が生体を計測する際に使用する計測用情報を、スマートアダプタ通信部２を介して電子タグ３に書き込むようにした。
【００４４】
従って、電子タグ３の設定・起動・データ管理を同時に行うことができることから、従来手法と比べ圧倒的に電子タグ３の設定・起動・データ管理までの一連の作業時間を短縮することができる。
【００４５】
前述したように、ときには、電子タグ３の設定・起動を船上で行う場合もあり、不安定であり、水しぶきがかかる船上にてＰＣ作業をすることは大変な労力を伴う。このため、ＰＣより小型であり、運搬が容易なモバイル型のスマートアダプタ本体１にて、簡便に電子タグを設定・起動できることが有用である。また水辺で使用する場合は、本スマートアダプタ本体１は防水性を備えることもある。
【００４６】
また、電子タグ３を使用するまでは、時刻保持を行わずに、時刻同期は、計測用情報の送信と同時（計測開始直前）に行うようにした。これにより、電子タグ３の電池の消費を抑えることができる。
【００４７】
また、前述したように、電子タグ３の起動・装着・放流後に、使用者が、ＰＣ等にてマニュアルで電子タグのＩＤと放流場所の紐付けを行うと手間がかかる。本実施の形態の情報処理システム１００によれば、電子タグ３の起動を放流現場で行う際に計測用情報を書き込むようにしたので、放流場所の位置情報と、起動・装着・放流した電子タグ３のＩＤを自動的に紐付けることができる。
＜変形例＞
次に、生体への電子タグ３の装着方法の一例を説明する。
図４は、生体への電子タグの装着方法の一例を説明する図である。
図４に示す装着器具（インジェクタ）は注射器型をなしている。なお、図４ではスマートアダプタ本体１の図示を省略している。
装着器具４は、注射筒４ａと、注射針４ｂとを有している。装着器具４は、例えば魚の腹腔内等の内部に電子タグ３を挿入する際に用いられる。
注射筒４ａは、外筒４ａ１と、押し子４ａ２とを有している。なお、図４では外筒４ａ１を点線で示している。
スマートアダプタ本体１から伸びるデータ送受信用の信号線１ａは、押し子４ａ２に接続されている。
【００４８】
押し子４ａ２の先端にはガスケット４ａ３が設けられており、ガスケット４ａ３の先端側（図４中左側）には、棒状体４ａ４が配置されている。棒状体４ａ４の先端側にはスマートアダプタ通信部２が配置されている。棒状体４ａ４は、内部に信号線１ａに接続された信号線１ｂ（図４中一点鎖線）が配置されている。
注射針４ｂは、針管４ｂ１と、弁体４ｂ２とを有している。なお、図４では針管４ｂ１を点線で示している。
【００４９】
針管４ｂ１の内径は、例えば６ｍｍ程度である。例えば、電子タグ３のサイズを幅５．５ｍｍ、高さ５ｍｍ、長さ２４．５ｍｍ（基板・電池込および耐圧加工済み）のサイズで形成する。その場合、電子タグ３が針管４ｂ１の内部に入る。
【００５０】
弁体４ｂ２は、一度針管４ｂ１の内部に挿入された電子タグ３が針管４ｂ１の先端部分から出てしまうことを抑制する。弁体４ｂ２は例えばゴムや可撓性の樹脂等で形成されており、紙面右側から一定以上の圧力がかかった場合は、変形して電子タグ３を通過させる。
【００５１】
装着器具４を使用して電子タグ３を生体に装着する場合は、装着器具の使用者は、針管４ｂ１の内部に電子タグ３を入れ、魚の腹腔内等の内部に針管４ｂ１を挿入する。
図５は、押し子を押したときの装着器具を説明する図である。なお、図５ではスマートアダプタ本体１と生体の図示を省略している。
【００５２】
押し子４ａ２を押すことで棒状体４ａ４が左側に移動し、スマートアダプタ通信部２が電子タグ３に近接する。これにより、スマートアダプタ通信部２が電子タグ３と通信を開始する。
【００５３】
その後、さらに押し子４ａ２を押し込むことで電子タグ３が押圧される。そして、弁体４ｂ２が電子タグ３を右側に付勢する力に勝って電子タグ３が針管４ｂ１から押し出され、生体の腹腔内等の内部に挿入される。その後、針管４ｂ１を生体から抜けば、電子タグ３のみが生体の内部に残り、電子タグ３が生体に装着される。
【００５４】
このように、押し子４ａ２を押す際に、押し子４ａ２の先端にスマートアダプタ通信部２の通信ポート２ａがあれば、押し子４ａ２を押して電子タグ３を押し出した際に、電子タグ３を起動させ、電子タグの計測用情報を電子タグ３に書き込むことができる。
従って、電子タグ３の設定・起動・データ管理に加え、電子タグ３の生体への装着も同時に行うことができる。
＜第２の実施の形態＞
次に、第２の実施の形態の情報処理システムについて説明する。
以下、第２の実施の形態の情報処理システムについて、前述した第１の実施の形態との相違点を中心に説明し、同様の事項については、その説明を省略する。
第２の実施の形態の情報処理システムは、スマートアダプタ本体の機能（生体の個体情報についても簡便な記録を行うための仕組み）が追加されている。
【００５５】
電子タグ３を生体に装着する際、生体のサイズや重量を計測することが多い。通常、生体のサイズや重量は、はかりに載せて計測したあと、人間がその値を読み上げ、補助者の人間が紙に記録することが多い（計測した同じ人間が紙に書く場合もある）。
【００５６】
電子タグ３のデータセットとして、電子タグ３で計測された情報とともに、装着した生体のサイズや生体の重量、さらに生体を放した場所・日時等は非常に重要な情報である。また個体の外観の情報として写真も撮る場合が多い。
【００５７】
放した場所や日時はスマートアダプタ本体に搭載されているＧＮＳＳセンサ１０６ａで記録することが可能である。本実施の形態ではさらに、装着した生体のサイズや生体の重量、外観写真などの生体の個体情報についても簡便な記録を行うための仕組みを導入する。
図６は、第２の実施の形態のスマートアダプタ本体のハードウェア構成を示す図である。
第２の実施の形態のスマートアダプタ本体１ａは、マイク１１０を備えている。
ＣＰＵ１０１は、マイク１１０から集音した音と文字とをパターンマッチングし、テキストに変換する。
【００５８】
生体のサイズや重量を計測したときに、計測者はその値を読み上げる。ＣＰＵ１０１はマイクから集音した音（その値）と文字とをパターンマッチングし、テキストに変換する（音声認識機能）。ＣＰＵ１０１は、変換したテキストをＩＤおよび計測用情報に紐付けてスマートアダプタ本体１ａ内部の内蔵メモリ１０３に記憶する。
【００５９】
また、スマートアダプタ本体１ａは、通信インタフェース１０７ａを備えている。通信インタフェース１０７ａは、通信インタフェース１０７の機能に加え、Bluetooth（登録商標）等の無線通信機能を備えている。
【００６０】
通信インタフェース１０７ａは、Bluetooth（登録商標）等の無線通信機能を備えた電子はかり２００やデジタルカメラ２０１と通信することができる。また、通信インタフェース１０７ａは有線接続により、電子はかり２００やデジタルカメラ２０１と通信してもよい。
以下の説明では、第１の実施の形態と同様に、図３に示す機能ブロックを用いて第２の実施の形態の情報処理システムの処理を説明する。
【００６１】
電子はかり２００は、生体のサイズや重量を計測可能である。制御部１１は、通信インタフェース１０７ａを介して取得した電子はかり２００で計測した値を、記憶部１２に記憶する。
【００６２】
制御部１１は、内部アルゴリズムにより、生体のサイズや重量を計測した時間などのキーとなる情報で、どの電子タグのＩＤが装着されたかを判別する。具体的には、電子タグ３の起動・設定・装着と、生体のサイズや重量の計測は一連のタイミングで行うことから、時刻情報をもとにどの電子タグ３と、どの個体情報かを照合することが可能である。
【００６３】
また、デジタルカメラ２０１が撮影した生体の写真データを、Bluetooth（登録商標）等でスマートアダプタ本体１ａに送信することで、記憶部１２に記憶することができる。サイズや重量と同じく、撮影された時刻で、電子タグＩＤと個体情報を照合することが可能である。
図７は、記憶部に記憶される情報の一例を説明する図である。
本実施の形態の記憶部１２には、情報がテーブル化されて記憶されている。
【００６４】
図７に示す管理テーブルＴ１には、タグＩＤ、時刻情報、計測周期、計測開始時刻、計測終了時刻、位置情報、サイズ、重量、写真の欄が設けられている。横方向に並べられた情報同士が互いに関連づけられている。
タグＩＤの欄には電子タグ３のＩＤが格納される。
時刻情報の欄には電子タグ３の起動時に書き込んだ時刻が格納される。
計測開始時刻の欄には電子タグ３が計測を開始する時刻が格納される。
計測終了時刻の欄には電子タグ３が計測を終了する時刻が格納される。
位置情報の欄には電子タグ３の起動時にＧＮＳＳセンサ１０６ａから取得した位置情報が格納される。
【００６５】
サイズの欄には生体のサイズが格納される。重量の欄には生体の重量が格納される。これらの生体のサイズおよび重量は、前述したように、電子はかり２００が計測した生体のサイズおよび重量を計測者が読み上げた音声の、音声認識により得られる。
写真の欄には写真のファイル名が格納される。写真のファイル自体も記憶部１２に記憶することができる。
【００６６】
なお、上記はスマートアダプタ本体１ａを中心（Hub）として、電子はかり２００や写真の情報を集約し、時刻情報をもとにスマートアダプタ本体１ａ内部でデータを整理することを行っている。しかしこれに限らず、電子はかり２００で記録した重量情報や、デジタルカメラ２０１で撮影した写真の情報や、スマートアダプタ本体１ａ内部で記録した電子タグ３の設定・起動・装着情報がそれぞれの装置からクラウドサーバに独立して送信される方法も考えられる。その場合、クラウドサーバ上で、データベース間のデータを、時刻情報をもとに整理することが可能である。
第２の実施の形態の情報処理システムによれば、第１の実施の形態の情報処理システムと同様の効果が得られる。
【００６７】
そして、第２の実施の形態の情報処理システムによれば、さらに、電子タグ３の起動・設定・装着と同時に位置情報、装着個体の情報（サイズや重量、写真など）の記録を簡便に実施可能な一連の装置となる。
【００６８】
以上、本発明の書き込み装置を、図示の実施の形態に基づいて説明したが、本発明はこれに限定されるものではなく、各部の構成は、同様の機能を有する任意の構成のものに置換することができる。例えば、スマートアダプタ本体１ａが電子はかり２００の機能を備えていてもよい。この装置により、電子はかりで読み取った情報と、スマートアダプタ本体で読み取る情報を確実に共有することが可能である。
また、本発明に、他の任意の構成物や工程が付加されていてもよい。
また、本発明は、前述した各実施の形態のうちの、任意の２以上の構成（特徴）を組み合わせたものであってもよい。
【００６９】
なお、上記の処理機能は、コンピュータによって実現することができる。その場合、スマートアダプタ本体１、１ａが有する機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリ等が挙げられる。磁気記憶装置には、ハードディスクドライブ、フレキシブルディスク（ＦＤ）、磁気テープ等が挙げられる。光ディスクには、ＤＶＤ、ＤＶＤ−ＲＡＭ、ＣＤ−ＲＯＭ／ＲＷ等が挙げられる。光磁気記録媒体には、ＭＯ（Magneto-Optical disk）等が挙げられる。
【００７０】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【００７１】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送される毎に、逐次、受け取ったプログラムに従った処理を実行することもできる。
【００７２】
また、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現することもできる。
【符号の説明】
【００７３】
１、１ａ  スマートアダプタ本体
２  スマートアダプタ通信部
３  電子タグ
４  装着器具
４ａ２  押し子
４ａ４  棒状体
４ｂ１  針管
４ｂ２  弁体
【要約】
【課題】電子タグの初期設定時間を短縮させること。
【解決手段】内部時計と生体を計測するセンサとを備える電子タグ３と通信するインタフェースを備えるスマートアダプタ通信部２と、現在時刻を取得する内部時計１０６と、スマートアダプタ通信部２を介して電子タグ３と通信して電子タグ３を起動させ、内部時計１０６が取得した現在時刻を含み電子タグ３が生体を計測する際に使用する計測用情報を電子タグ３に書き込むＣＰＵ１０１と、を有する。
【選択図】図２【図１】
0006931948.tif 000002
【図２】
0006931948.tif 000003
【図３】
0006931948.tif 000004
【図４】
0006931948.tif 000005
【図５】
0006931948.tif 000006
【図６】
0006931948.tif 000007
【図７】
0006931948.tif 000008